(57)【要約】本発明は、拡張・更新可能な可変コンセントを公開する。コンセント本体及び機能モジュールを含み、前記機能モジュールは、置換し更新されることができ、前記コンセント本体に着脱可能に固着され、また、プラグアンドプレイとなるように、その電源回路が前記コンセント本体の電源回路に分離可能に接続され、前記コンセント本体内に前記機能モジュールを収容するための一定の空間が保留され、また前記コンセント本体の表面に前記機能モジュールに対応して機能領域が設けられる拡張・更新可能な可変コンセント。本発明のコンセント本体には、ユーザに異なる拡張機能モジュールに合わさせるための空間が保留され、コンセントの機能を大いに向上させ、多くの小さな電子部品がコンセントのボトムケース内に収納され、多くの外付けの電力変圧器が節約され、空間が節約され、電線の露出が少なくなり、使用空間が美しくなり、更新時にコンセント全体を置換する必要はなく、エコで省エネである。【選択図】図１４
2021507445.tif 000002
【特許請求の範囲】
【請求項１】
コンセント本体及び機能モジュールを含み、前記機能モジュールは、置換し更新される
ことができ、前記コンセント本体に着脱可能に固着され、また、プラグアンドプレイとな
るように、その電源回路が前記コンセント本体の電源回路に分離可能に接続され、前記コ
ンセント本体内に前記機能モジュールを収容するための一定の空間が保留され、また前記
コンセント本体の表面に前記機能モジュールに対応して機能領域が設けられることを特徴
とする拡張・更新可能な可変コンセント。
【請求項２】
それぞれ前記機能モジュール及び前記コンセント本体に位置するバイパスプラグ及びバ
イパスコンセントを更に含み、また前記機能モジュールの電源回路が前記コンセント本体
の電源回路に分離可能に接続されるように、前記バイパスプラグと前記バイパスコンセン
トとは嵌合することを特徴とする請求項１に記載の拡張・更新可能な可変コンセント。
【請求項３】
前記機能モジュールは、ＵＳＢインタフェース、ケーブルインタフェース、ブルートゥ
ース管理、無線管理、電源スイッチ、スピーカ及び常夜灯等を含む機能の少なくとも１つ
を提供することを特徴とする請求項１に記載の拡張・更新可能な可変コンセント。
【請求項４】
前記コンセント本体の表面の機能領域の所在するパネルは、前記コンセント本体に着脱
可能に固着され、また前記機能モジュールに対応して置換や更新を行うことを特徴とする
請求項１に記載の拡張・更新可能な可変コンセント。
【請求項５】
前記機能モジュールは、前記コンセント本体に直接着脱可能に固着され、又は補助部材
に着脱可能に固着され、前記補助部材が前記コンセント本体に固着されることを特徴とす
る請求項１に記載の拡張・更新可能な可変コンセント。
【請求項６】
前記コンセント本体に直接着脱可能に固着され、又は補助部材に着脱可能に固着される
ように、前記パネルの四周又は底部にフック又はフック穴が設けられ、前記補助部材が前
記コンセント本体に固着されることを特徴とする請求項４に記載の拡張・更新可能な可変
コンセント。
【請求項７】
前記補助部材は固定枠であることを特徴とする請求項５又は６に記載の拡張・更新可能
な可変コンセント。
【請求項８】
前記バイパスプラグはバイパスピンヘッダーであり、前記バイパスコンセントはバイパ
スピン差し込み口であり、感電を防止するために、前記バイパスピン差し込み口の差し込
み孔は小さな細孔であることを特徴とする請求項２に記載の拡張・更新可能な可変コンセ
ント。
【請求項９】
前記電源回路は、ライブ回路、ニュートラル回路及びアース回路を含むことを特徴とす
る請求項１に記載の拡張・更新可能な可変コンセント。
【請求項１０】
前記コンセント本体は、携帯型コンセント又は固定型コンセントであることを特徴とす
る請求項１に記載の拡張・更新可能な可変コンセント。
【発明の詳細な説明】
【技術分野】
【０００１】
本発明は、電気伝導の接続装置及び電気機器の技術分野に関し、特に、埋込型又は露出
型を含む様々な商用電源出力付きのコンセントを含む、普通の壁電源コンセントや、床埋
設型電源コンセント、電源タップにおけるコンセントの改良された拡張・更新可能な可変
コンセントに関する。
【背景技術】
【０００２】
従来の電源コンセントとして、図１ａ‐１ｃに示すように、通常の１相又は２相の電源
コンセントは、一般的に、コンセントパネル２を含み、コンセントパネル２には、商用交
流電源に接続されるための通常の電源差込口を有し、通常の３穴電源差込口１２は一つの
ライブ差込口、一つのニュートラル差込口及び一つのアース差込口を含み、通常の２穴電
源差込口１３は一つのライブ差込口及び一つのニュートラル差込口を含む。異なる国のコ
ンセントは、差込口の形状や電圧のみに異なっているが、原理が同じである。
【０００３】
電子技術の発展につれて、現在、例えば、携帯電話、タブレット、カメラ等の小型電気
機器が多くあるが、これらの電子製品は殆どＵＳＢインタフェースによって給電され、ま
たＷｉＦｉ又はブルートゥースを介して無線インターネットでアクセスすることもできる
。
【０００４】
しかしながら、従来のコンセントを使用する場合、電源コンセントの外部にＵＳＢ給電
器（充電器）を接続する必要があり、使用が不便であり、また、外付けのＵＳＢ給電器が
コンセントの表面から突出するので、広い空間を要求する。また、ＵＳＢ給電器の技術が
日進月歩であり、出力電源の部分や出力ポートの制式等を問わず、技術の更新反復に伴っ
て、何れも絶えず更新・置換しなければならない。別に、ＷｉＦｉルータ又はＷｉＦｉ中
継器については、適用が広く普及しているが、大体外付けのものであり、つまり電力を取
り込むには電源コンセントに差し込まれる必要があり、且つ空間を要求する。
【０００５】
その同時に、従来のコンセントは、商用交流電源差込口の単なる提供又は電源スイッチ
付きの機能にも関わらず、機能が単一で且つ構造が一定であり、未来の拡張機能用のヘッ
ド空間及び接続口を持たなく、更に、正面から機能モジュールを取り出す構造がない。そ
のため、以上の不足に改良を加える必要がある。
【発明の概要】
【０００６】
従来のコンセントは、適合性が悪く、機能が簡単で、また機能の拡張や更新、置換が不
可能である欠陥があり、通常の電源コンセントに添付される機能としては一般的に電子製
品であり、電子製品の技術進化が速く、１〜２年で規格制式を更新又は置換しなければな
らない。従来技術に存在する上記不足を克服するために、本発明は、機能モジュールの一
部を置換するだけで、壁電源コンセントや、床埋設型コンセント、電源テーブルタップ全
体を置換せずに、且つコンセント全体を抜け取らずに置換することができ、エコでコスト
を節約しまた安全である拡張・更新可能な可変コンセントを提供する。本発明は、コンセ
ント本体及び機能モジュールを含み、前記機能モジュールは、置換し更新されることがで
き、前記コンセント本体に着脱可能に固着され、また、プラグアンドプレイとなるように
、その電源回路が前記コンセント本体の電源回路に分離可能に接続され、前記コンセント
本体内に前記機能モジュールを収容するための一定の空間が保留され、また前記コンセン
ト本体の表面に前記機能モジュールに対応して機能領域が設けられる拡張・更新可能な可
変コンセントによって達成される。
【０００７】
更に、それぞれ前記機能モジュール及び前記コンセント本体に位置するバイパスプラグ
及びバイパスコンセントを更に含み、また前記機能モジュールの電源回路が前記コンセン
ト本体の電源回路に分離可能に接続されるように、前記バイパスプラグと前記バイパスコ
ンセントとは嵌合する。
【０００８】
更に、前記機能モジュールは、ＵＳＢインタフェース、ケーブルインタフェース、ブル
ートゥース管理、無線管理、電源スイッチ、スピーカ及び常夜灯等を含む機能の少なくと
も１つを提供する。
【０００９】
更に、前記コンセント本体の表面の機能領域の所在するパネルは、前記コンセント本体
に着脱可能に固着され、また前記機能モジュールに対応して置換や更新を行う。
【００１０】
更に、前記機能モジュールは、前記コンセント本体に直接着脱可能に固着され、又は補
助部材に着脱可能に固着され、前記補助部材が前記コンセント本体に固着される。
【００１１】
更に、前記コンセント本体に直接着脱可能に固着され、又は補助部材に着脱可能に固着
されるように、前記パネルの四周又は底部にフック又はフック穴が設けられ、前記補助部
材が前記コンセント本体に固着される。
【００１２】
更に、前記補助部材は固定枠である。
【００１３】
更に、前記バイパスプラグはバイパスピンヘッダーであり、前記バイパスコンセントは
バイパスピン差し込み口であり、感電を防止するために、前記バイパスピン差し込み口の
差し込み孔は小さな細孔である。
【００１４】
更に、前記電源回路は、ライブ回路、ニュートラル回路及びアース回路を含む。
【００１５】
更に、前記コンセント本体は、携帯型コンセント又は固定型コンセントである。
【発明の効果】
【００１６】
コンセント本体には、ユーザに異なる拡張機能モジュールに合わさせるための空間が保
留され、壁電源コンセント又は電源テーブルタップの機能を大いに向上させ、多くの小さ
な電子部品がコンセントのボトムケース内に収納され、多くの外付けの電力変圧器が節約
され、空間が節約され、電線の露出が少なくなり、使用空間が美しくなり、更新時に壁電
源コンセント又は床埋設型コンセント又は電源テーブルタップ全体を置換する必要はなく
、エコで省エネである。拡張機能モジュールを置換する場合、電気技師がなくても、自分
で操作でき、便利で迅速である。特に、ＵＳＢ給電器に合わせて使用すれば、普通の電源
コンセントの機能が保留される以上、ＵＳＢで電力を取り込む小型電気器具にも適用され
、ユーザが外付けの充電器を携帯する面倒を避け、現在の科学技術の発展に適応し、また
人々に高い便利性及び利益をもたらす。
【図面の簡単な説明】
【００１７】
以下、添付図面及び具体的な実施例に合わせて本発明を更に詳しく説明する。
【００１８】
【図１】従来技術の１相の英国規格の壁電源コンセントの正面模式図である。
【図２】従来技術の１相の中国規格の壁電源コンセントの正面模式図である。
【図３】従来技術の２相の英国規格の壁電源コンセントの正面模式図である。
【図４】本発明の実施例１の１相の壁電源コンセントの正面模式図である。
【図５】本発明の実施例１の２相の壁電源コンセントの正面模式図である。
【図６】本発明の実施例１の内部の一部の構造の正面模式図である。
【図７】図６のバイパスピン差し込み口の拡大構造模式図である。
【図８】本発明の実施例１の後面構造模式図である。
【図９】本発明の実施例１の一部の構造及びその組み合わせを示す模式図である。
【図１０】本発明の実施例１の機能モジュールの実施形態１の正面図である。
【図１１】本発明の実施例１の機能モジュールの実施形態２の正面図である。
【図１２】本発明の実施例１の機能モジュールの実施形態３の正面図である。
【図１３】本発明の実施例１の機能モジュールの実施形態４の正面図である。
【図１４】本発明の実施例１の構造及びその組み合わせの模式図である。
【図１５】本発明の実施例２の１相の壁電源コンセントの正面模式図である。
【図１６】本発明の実施例２の内部の一部の構造の正面模式図である。
【図１７】本発明の実施例２の後面構造模式図である。
【図１８】本発明の実施例２の機能モジュールの一部の構造及びその組み合わせの模式図である。
【図１９】本発明の実施例２の電源モジュールの一部の構造及びその組み合わせの模式図である。
【図２０】本発明の実施例３の２相の壁電源コンセントの正面図である。
【図２１】本発明の実施例３の２相の壁電源コンセント内部の一部の構造の正面図である。
【図２２】本発明の実施例４の１相の電源テーブルタップの正面図である。
【図２３】本発明の実施例４の１相の電源テーブルタップ内部の一部の構造の正面図である。
【図２４】本発明の実施例５の３相の電源テーブルタップの正面図である。
【図２５】本発明の実施例５の３相の壁電源タップの内部構造正面模式図である。
【発明を実施するための最良の形態】
【００１９】
以下、添付図面及び実施形態に合わせて、本発明を更に説明する。
【００２０】
図１‐３に示すように、従来技術における異なる形態のコンセント本体であり、コンセ
ントパネル１１における電源差込口は、通常の交流電３穴電源差込口１２、２穴電源差込
口１３であってよく、インタフェースの数、形状、基準及び電圧タイプに限定されない。
【００２１】
実施例１
【００２２】
拡張・更新可能な可変コンセントであり、図４‐１４に示すように、コンセント本体及
び機能モジュール３を備え、機能モジュール３は、置換し更新されることができ、コンセ
ント本体に着脱可能に固着され、また、プラグアンドプレイとなるために、その電源回路
がコンセント本体の電源回路に分離可能に接続される。コンセント本体に機能モジュール
３を収容するための一定の空間が保留され、またコンセント本体の表面には機能モジュー
ル３に対応して機能領域が設けられる。図４及び図５に示すのは、本実施例を実施する場
合、電源差込口１２の使用に影響せずに、コンセントパネルに機能領域の使用範囲が保留
されることであり、コンセントパネルの空間利用率を向上させ、様々な機能の拡張に寄与
する。
【００２３】
本実施例の拡張・更新可能な可変コンセントは、固定型コンセントであり、コンセント
パネル２、固定枠６、機能モジュール３、電源モジュール４及びコンセントベース５を備
える。コンセントベース５は、壁面又は床面内に固定して取り付けられてよく、その内部
が機能モジュール３及び電源モジュール４を収容することに用いられ、機能モジュール３
と電源モジュール４が左右のモジュールとして実施され、機能モジュール３は、機能モジ
ュールキャップ３０及び機能モジュールベース３１を含み、２つのＵＳＢコンセント３２
を有し、バイパスピンヘッダー３１２を更に含み、コンセント本体の電源モジュール４は
、電源モジュールベース４２を含み、電源モジュールベース４２内にアース差込口案内タ
ブ１５、ライブ差込口案内タブ１６及びニュートラル差込口案内タブ１７が収容され、電
源モジュールベース４２は、バイパスピン差し込み口４２０を更に含み、バイパスピンヘ
ッダー３１２は、機能モジュール３の電源回路がコンセント本体の電源回路に分離可能に
接続されるように、バイパスピン差し込み口４２０と嵌合する。バイパス差し込み孔が非
常に細かく、ヒトの指が差し込み孔内の電極ユニットに接触することはできないので、非
常に安全である。
【００２４】
バイパスピン差し込み口４２０はバイパスライブ差込口４２１、バイパスアース差込口
４２２及びバイパスニュートラル差込口４２３を含み、バイパスピンヘッダー３１２は対
応するピンを含む。
【００２５】
本実施例の機能モジュールベース３１内に機能の異なる機能部品が収容され、機能モジ
ュールキャップ３０と機能モジュールベース３１とがフック３０２及びフック穴３１１の
構造によって着脱可能な固着を達成させ、機能モジュール３のメンテナンスや、更新、再
利用を容易にする。
【００２６】
本実施例のアース差込口案内タブ１５が接地金属板１５１に接続され且つアースに接続
され、ライブ差込口案内タブ１６がライブ接続口１６１を介して交流電源のライブに接続
され、ニュートラル差込口案内タブ１７がニュートラル接続口１７１を介して交流電源の
ライブに接続される。電源スイッチ１４がライブ回路に設けられる。
【００２７】
本実施例の機能モジュール３は、更に、図１０-１３に示すように実施されてよく、つ
まり、ＵＳＢコンセント３２、ナイトライト３３、電源スイッチ３４、ＷｉＦｉ管理キー
３５、送電網設定キー３６、ＷＡＮ/ＬＡＮインタフェース３７、ブルートゥース管理キ
ー３８及びスピーカ３９等の１つ又はいくつかの組み合わせを設けることで、対応する機
能を提供する。ＵＳＢコンセント３２は、ＵＳＢで電力を取り込む小型電気器具に適用さ
れる。異なる電子製品のインタフェースタイプに適合するように、必要に応じて、ＵＳＢ
出力インタフェースは、Ｍｉｃｒｏ-ＵＳＢインタフェース、Ｔｙｐｅ-Ｃインタフェース
又は他のタイプの給電インタフェースであってよい。ＵＳＢインタフェースの数としては
、使い勝手及び利用可能な空間によって、一つの又は複数設けてよい。機能モジュールは
、独立したものであり、ある外付けの製品に類似し、選択可能な機能モジュールとしては
、例えば、ＵＳＢ給電器、ＵＳＢ給電器及びＬＥＤナイトライト、無線中継器、検出器、
小さなオーディオ等があり、科学技術が日進月歩であり、これらの機能モジュールが絶え
ず新しくなり、ユーザは、壁電源コンセントや、床埋設型コンセント、電源テーブルタッ
プ全体を置換せずに、非常に便利に置換し更新することができ、エコで省エネである。ユ
ーザは、異なる機能モジュールを自由に組み合わせてよく、新しい機能モジュールの差込
口及び元々の通常の電源差込口に対応するように、各々の機能モジュールには新しい最上
層カバーが合せられる。
【００２８】
本実施例の電源モジュール４は螺着孔４２４で固定され、機能モジュール３は螺着孔３
０１によって固定枠６に固定されてもよいし、機能モジュール３にボトムフックを設ける
ことで固定枠６に着脱可能に固着されてもよく、固定枠６の両側の中部がネジによってコ
ンセントベース５に固定され、コンセントパネル２は、機能モジュール３に対応じて置換
や更新を行ってよく、その材料がプラスチック又は金属であってよく、異なる色又はパタ
ーンに置換されてもよく、異なる機能モジュール３の孔位置に合わせるように異なる位置
の孔、及び異なる数の孔を有してもよい。コンセントパネル２にネジ孔が見えられなく、
四周のフック又は底部のフックによってコンセント本体に引っ掛かれ、美観で容易に洗浄
される。機能モジュール３を置換する場合、コンセントパネル２及び螺着孔３０１でのネ
ジを取り外して置換を行ってから、ネジ及び置換された機能モジュール３に対応するコン
セントパネル２を取り付ければよい。
【００２９】
本実施例のコンセントベース５、電源モジュールベース４２及びバイパスピン差し込み
口４２０は、一体構造であってもよい。バイパスピン差し込み口４２０は、好ましくは、
差し込みを安定して信頼的にするために、電源モジュールベース４２の外側部で底端の近
傍に位置し、バイパスピンヘッダー３１２は、好ましくは、機能モジュールベース３１の
内側で底端の近傍に位置し、底部に開口が対応して開設され、つまり機能モジュールベー
ス３１の底部に嵌め込まれ、使用の時、バイパスピンヘッダー３１２は、バイパスピン差
し込み口４２０内に垂直に挿入されて、コンセント本体内に保留されている商用交流電源
を機能モジュール３に供給することができる。前記構造のバイパスピンヘッダー３１２は
、バイパスピン差し込み口４２０に嵌合して、空間を節約し、安定して信頼できる。代替
的な実施形態として、機能モジュール３と電源モジュール４とは、プラグとコンセントと
の態様の代わりに、弾性導電接触片とコンダクトとの接触態様によって、機能モジュール
への給電を達成させることもできる。バイパスピン差し込み口４２０は、導電性ワイヤを
介してアース差込口案内タブ１５、ライブ差込口案内タブ１６及びニュートラル差込口案
内タブ１７に接続されてもよいし、コンセント本体の電源線に接続されて、回路接続を達
成させてもよい。
【００３０】
本実施例のコンセント本体のコンセントパネル２に電源スイッチ１４及び３穴電源差込
口１２が設けられ、コンセントパネル２は、コンセント本体に着脱可能に固着され、また
機能モジュール３に対応して置換や更新を行う。コンセント本体に機能モジュール３が収
容されていない場合、美観のために、対応する機能的開口の開設されていないコンセント
パネル２を選用してよい。１つの実施形態として、機能モジュール３が機能モジュールキ
ャップ３０及び機能モジュールベース３１からなる場合、直接独立してコンセント本体へ
のプラグアンドプレイが可能であり、機能モジュール３は、スナップイン構造又は固定枠
６によって螺着孔３０１の箇所で固定されて、コンセント本体に着脱可能に固着されるこ
とができ、つまり機能モジュールキャップ３１が螺着孔３０１の箇所で固定枠６の上部に
固定されて、機能モジュール３の着脱置換を容易にし、コンセントパネル２は、開口型と
して設けられて、機能モジュール３の機能領域を実質的にコンセント本体の表面の一部と
してコンセント本体から露出させてもよい。別の実施形態として、図１４に示すように、
コンセント本体の表面の機能領域の所在するパネルであるコンセントパネル２は、機能モ
ジュール３に対応して置換や更新を行い、好ましくはコンセント本体に着脱可能に固着さ
れて、置換を容易にし、固定枠６に着脱可能に固着されるように、その四周又は底部に好
ましくはフック又はフック穴が設けられてもよい。
【００３１】
本実施例の固定枠６は、補助接続部材であり、主に固定補助構造を提供し、その機能が
コンセントベース５の変化した構造によって提供されて、コンセントパネル２、機能モジ
ュール３及び電源モジュール４がコンセントベース５に直接着脱可能に固着されることを
達成させることもできる。
【００３２】
コンセント本体の形状が機能モジュール３に適応して拡縮してもよいし、機能モジュー
ル３の形状がコンセント本体に適応して拡縮してもよい。
【００３３】
実施例２
【００３４】
実施例２は、実施例１を踏まえて、上下モジュールに分けて実施され、図１５-１９に
示すように、本実施例の拡張・更新可能な可変コンセントは、固定型コンセントであり、
そのコンセントパネルに３穴電源差込口１２を含み、また機能モジュールの２つのＵＳＢ
コンセント３２に対応して貫通穴が開設される。
【００３５】
機能モジュールは機能モジュールキャップ３０及び機能モジュールベース３１を含み、
機能モジュールベース３１内に機能の異なる機能部品が収容され、機能モジュールキャッ
プ３０と機能モジュールベース３１とがフック３０２及びフック穴３１１の構造によって
着脱可能な固着を達成させ、機能モジュール３のメンテナンスや、更新、再利用を容易に
する。機能モジュールベース３１は、バイパスピンヘッダー３１２を含む。
【００３６】
コンセント本体の電源モジュールは電源モジュールキャップ４１及び電源モジュールベ
ース４２を含み、電源モジュールベース４２内にアース差込口案内タブ１５、ライブ差込
口案内タブ１６及びニュートラル差込口案内タブ１７が収容され、そのバイパスピン差し
込み口４２０が導電性ワイヤを介してライブ差込口案内タブ１６及びニュートラル差込口
案内タブ１７に接続され、アース差込口案内タブ１５が接地金属板１５１に接続され、ラ
イブ接続口１６１の箇所が交流電源のライブに接続され、ニュートラル接続口１７１の箇
所が交流電源のニュートラルに接続され、アース接続口の箇所が交流電源のアースに接続
される。電源モジュールキャップ４１と電源モジュールベース４２とは、フック及びフッ
ク穴構造によって着脱可能な固着を達成させる。
【００３７】
バイパスピン差し込み口４２０はバイパスライブ差込口及びバイパスニュートラル差込
口を含み、バイパスピンヘッダー３１２は対応するピンを含み、バイパスピンヘッダー３
１２は、機能モジュールの電源回路がコンセント本体の電源回路に分離可能に接続される
ように、バイパスピン差し込み口４２０と嵌合する。
【００３８】
機能モジュールは螺着孔３０１の箇所で固定枠６に着脱可能に固定され、電源モジュー
ルは螺着孔４２４の箇所で固定枠６に固定される。機能モジュールを置換し更新する場合
、コンセントパネル２を除去するだけでよく、固定枠６を取り外さずにプラグアンドプレ
イで置換を行うことができる。コンセントパネルは、好ましくは、容易に着脱可能な接続
形態によって固定される。
【００３９】
勿論、本発明のコンセント本体は、マルチタップのような携帯型コンセントであっても
よく、上記実施概念に基づいて達成されることもできる。
【００４０】
実施例３
【００４１】
図２０及び図２１に示すように、２相の実施例であり、実施例２を踏まえて、重なって
実施され、その機能モジュールと電源モジュールが分離型として複数の機能モジュールユ
ニットからなってもよく、一体型又はグループ式として実施されてもよい。一つの固定枠
を共用してもよいし、複数の固定枠６であってもよく、電源モジュール内にアース差込口
案内タブ１５、ライブ差込口案内タブ１６及びニュートラル差込口案内タブ１７が収容さ
れ、そのバイパスピン差し込み口４２０が導電性ワイヤを介してライブ差込口案内タブ１
６及びニュートラル差込口案内タブ１７に接続される。
【００４２】
実施例４
【００４３】
図２２及び図２３に示すように、実施例２を踏まえて、１相の電源テーブルタップであ
り、コンセント本体は、延長線７を介して商用電源の電源インタフェースに接続され、そ
のコンセントパネルに３穴電源差込口１２を含み、また機能モジュールの２つのＵＳＢコ
ンセント３２に対応して貫通穴が開設される。電源モジュール内にアース差込口案内タブ
、ライブ差込口案内タブ１６及びニュートラル差込口案内タブ１７が収容される。
【００４４】
実施例５
【００４５】
図２４及び図２５に示すように、３相の電源テーブルタップであり、実施例４を踏まえ
て、そのコンセントパネルも置換可能なものであり、それぞれ複数の対応するＵＳＢコン
セント３２の開口、及び３穴電源差込口１２が設けられる。その機能モジュールと電源モ
ジュールは、分離型として複数のモジュールユニットからなってもよいし、一体型又はグ
ループ式として実施されてもよい。
【００４６】
当業者であれば、上記の説明に基づいて改良や変換を加えることはできるが、それらの
すべての改良及び変換は、本発明に付随する請求の範囲の保護範囲に属するものと理解し
なければならない。
【００４７】
以上、添付図面に合わせて本発明特許を例示的に説明したが、本発明特許の達成が上記
形態により限定されないことは明らかであり、本発明特許の方法概念及び技術態様を採用
して行われた様々な改良、又は改良せずに本発明特許の概念及び技術態様を直接他の場合
に適用するものであれば、何れも本発明の保護範囲内にある。
［符号の説明］
２  コンセントパネル
３  機能モジュール
５  コンセントベース
６  固定枠
７  延長線
１１  コンセントパネル、
１２  ３穴電源差込口
１３  ２穴電源差込口
１４  電源スイッチ
１５  アース差込口案内タブ
１５１  接地金属板
１６  ライブ差込口案内タブ
１６１  ライブ接続口
１７  ニュートラル差込口案内タブ
１７１  ニュートラル接続口
３０  機能モジュールキャップ
３１  機能モジュールベース
３２  ＵＳＢコンセント
３３  ナイトライト
３４  電源スイッチ
３５  ＷｉＦｉ管理キー
３６  送電網設定キー
３７  ＷＡＮ/ＬＡＮインタフェース
３８  ブルートゥース管理キー
３９  スピーカ
３０１  螺着孔
３０２  係合
３１１  フック穴
３１２  バイパスピンヘッダー
４  電源モジュール
４１  電源モジュールキャップ
４２  電源モジュールベース
４２０  バイパスピン差し込み口
４２１  バイパスライブ差込口
４２２  バイパスアース差込口
４２３  バイパスニュートラル差込口
４２４  螺着孔
【図１】
2021507445.tif 000003
【図２】
2021507445.tif 000004
【図３】
2021507445.tif 000005
【図４】
2021507445.tif 000006
【図５】
2021507445.tif 000007
【図６】
2021507445.tif 000008
【図７】
2021507445.tif 000009
【図８】
2021507445.tif 000010
【図９】
2021507445.tif 000011
【図１０】
2021507445.tif 000012
【図１１】
2021507445.tif 000013
【図１２】
2021507445.tif 000014
【図１３】
2021507445.tif 000015
【図１４】
2021507445.tif 000016
【図１５】
2021507445.tif 000017
【図１６】
2021507445.tif 000018
【図１７】
2021507445.tif 000019
【図１８】
2021507445.tif 000020
【図１９】
2021507445.tif 000021
【図２０】
2021507445.tif 000022
【図２１】
2021507445.tif 000023
【図２２】
2021507445.tif 000024
【図２３】
2021507445.tif 000025
【図２４】
2021507445.tif 000026
【図２５】
2021507445.tif 000027
【国際調査報告】
2021507445.tif 000028
2021507445.tif 000029
2021507445.tif 000030
2021507445.tif 000031